(57)【要約】【課題】吸引ファンをできる限り軽減して、組み立てを容易にするとともに、剛性の高い構成の吸引ファンを提供する。【解決手段】構成するそれぞれの部品を合成樹脂によって形成した吸引ファン３０において、側板と側板の間に配置する補強プレート４５０を円環状に構成し、該円環状に構成した補強プレート４５０の側面に、複数個の略三日月状のフィン孔４５０ａ・４５０ａ・・・が開口され、該フィン孔４５０ａ・４５０ａ・・・内に、フィン４４７ｃ・４４７ｃ・・・を嵌合し、該補強プレート４５０を、横断流ファン３０のフィン４４７ｃ・４４７ｃ・・・上の途中部に位置させて嵌合固定した。【選択図】図８
2004003509.tif 000002
【特許請求の範囲】
【請求項１】
　構成するそれぞれの部品を合成樹脂によって形成した吸引ファン３０において、側板と側板の間に配置する補強プレート４５０を円環状に構成し、該円環状に構成した補強プレート４５０の側面に、複数個の略三日月状のフィン孔４５０ａ・４５０ａ・・・が開口され、該フィン孔４５０ａ・４５０ａ・・・内に、フィン４４７ｃ・４４７ｃ・・・を嵌合し、該補強プレート４５０を、横断流ファン３０のフィン４４７ｃ・４４７ｃ・・・上の途中部に位置させて嵌合固定したことを特徴とする吸引ファン。
【発明の詳細な説明】
【技術分野】
【０００１】
　本発明は、半径方向の一方から他方へ風を送る横断流ファンの構成、特に、コンバインの吸引ファンに利用される樹脂にて成形した多翼式の吸引ファンの構成に関するものである。
【背景技術】
【０００２】
　吸引ファンは通常円形の側板を両側に配置し、その側板の間にブレード状の多数のフィンを円周部分に略半径方向に横架して、該側板の中心部分に駆動軸を設けて、該駆動軸を回動することによって、略直径方向の一側より吸い込んで、略直径方向の他側へ排出するように構成していた。この吸引ファンは幅が広くなるとフィンの剛性が低下するため殆ど金属により構成されていた。
【０００３】
【特許文献１】特開平６−４６６６６号公報
【発明の開示】
【発明が解決しようとする課題】
【０００４】
　しかし、従来の吸引ファンは金属製であったために重量が重く、該吸引ファンの始動時には大きなトルクが必要となっていた。
　また、この吸引ファンをコンバインの選別装置の後側に配置する吸引ファンとして用いた場合、動力伝達機構の下流側に配置され、唐箕や揺動選別装置の揺動駆動や、コンベア等の機器と同時に駆動する必要があるので、動力伝達機構への負担が大きくなっていた。
　また、前記ファンを組み立てるには、複数の金属部材を溶着する作業を必要としており、多大な時間を必要となり、人件費の嵩む構成となり、コストの高くするものとなっていた。従って、吸引ファンをできる限り軽減して、組み立てが容易にするために、樹脂による数個の部品を成形し、数カ所の嵌め込みにより容易に組み立てることのでき、剛性の高い構成の吸引ファンが望まれていた。
【課題を解決するための手段】
【０００５】
　本発明はこのような問題点を解消するために、次の如く構成したものである。
　構成するそれぞれの部品を合成樹脂によって形成した吸引ファン３０において、側板と側板の間に配置する補強プレート４５０を円環状に構成し、該円環状に構成した補強プレート４５０の側面に、複数個の略三日月状のフィン孔４５０ａ・４５０ａ・・・が開口され、該フィン孔４５０ａ・４５０ａ・・・内に、フィン４４７ｃ・４４７ｃ・・・を嵌合し、該補強プレート４５０を、横断流ファン３０のフィン４４７ｃ・４４７ｃ・・・上の途中部に位置させて嵌合固定したものである。
【発明の効果】
【０００６】
　以上のように構成したので、本発明は次のような効果を奏するものである。
　第１に、フィンの途中位置を補強プレートによって支持することによって、フィン受体にかかる負担が低減され、フィン受体を変形させることがなくなり、フィンが安定して支持され、フィンが外れたりする不具合が解消され、安定した風量が確保される。
第２に、前記吸引ファンを合成樹脂にて成形することで、ファンの重量を軽くして、ファンの駆動トルクを低減でき、エンジンや動力伝達機構への負担を軽減することができる。
【発明を実施するための最良の形態】
【０００７】
　本発明が解決しようとする課題及び解決するための手段は以上の如くであり、次に添付の図面に示した吸引ファンを吸引ファンとしてコンバインに適用した実施例の構成を説明する。
　図１はコンバイン全体側面図、
　図２は脱穀・選別装置への駆動伝達を示すスケルトン図、
　図３は脱穀・選別装置の側面断面図、
　図４は本発明の吸引ファンのフィン受体の正面断面図、
　図５は同じくフィン受体の側面図、
　図６はフィン受体の側面図、
　図７は補強プレートを示す側面図、
　図８は補強プレートを配設した吸引ファンの正面断面図、
　図９は吸引ファンの別形態を示す正面断面図、
　図１０は吸引ファンの別形態の側面図である。
【０００８】
　図１において、コンバインの全体構成から説明する。
　クローラ式走行装置１上に機体フレーム２を載置し、該機体フレーム２前端に引起し・刈取装置Ａを昇降可能に配設し、引起し・刈取装置Ａは前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送する。
　この縦搬送装置６の上端から、株元がフィードチェーン７に受け継がれて脱穀装置内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。
　前記脱穀装置の側部には選別後の精粒を貯留するグレンタンク１２が配設され、該グレンタンク１２前部には運転部１９が配設されている。
【０００９】
　前記脱穀装置Ｂは図３に示すように、前後方向に軸芯を有する扱胴２０と送塵口処理胴２１とが扱室に横架され、この扱室の下方に脱穀された籾と籾藁とを選別する選別室が形成されている。
　前記扱室の扱胴２０周囲に扱刃２０ａ・２０ａ・・・が植設され、扱胴２０下部周囲にはクリンプ網３１を設けて籾や小さな藁くず等のみが漏下し、選別室内で選別されるようにしている。
　前記送塵口処理胴２１は、扱胴２０後部のグレンタンク１２側に扱胴２０と平行に横架されており、扱胴２０で処理できなかった枝梗付着粒等を処理して藁屑等を後方に搬送して機外へ排出している。
【００１０】
　次に、図２に示すスケルトン図を用いて駆動構成を説明する。
　前記エンジンＥの左右方向に出力軸６０を突出し、該出力軸６０の一端をギアケース２５９に入力して、該ギアケース２５９よりプーリー、ベルトを介してミッションケースに動力を伝えて走行装置を駆動する。
　また、ギアケース２５９内の作業クラッチを介して、機体前部に配設した引起し、刈取装置Ａに動力を伝達すると同時に、脱穀選別装置Ｂやや排藁処理装置等を駆動する。前記ギアケース２５９から後方へ突出した出力軸よりプーリー、ベルトを介して送塵口処理胴２１、及び扱胴２０を駆動している。
【００１１】
　また、前記ギアケース２５９より側方に駆動軸２６１を突出し、該駆動軸２６１の端部を機体の左側部に配する動力伝達部に入力して、プーリー、ベルトを介して後方に伝達している唐箕３５、一番選別コンベア２２に動力を伝達する様にしている。
　更に、前記一番コンベア２２のコンベア軸２７３には、プーリー２６９とは別に第二プーリー２７４を嵌合しており、該第二プーリー２７４にベルトを巻回して、二番コンベア２３、脱穀選別装置Ｂ下部の選別本体５１や排出用の吸引ファン３０や排藁カッター装置１７を駆動し、更に後方の機体後部に配設する結束装置に動力を伝達することもできる。
　また、前記一番コンベア２２の他側にベベルギアを介して揚穀コンベア１３を駆動しており、該一番コンベア２２によって搬送された籾は揚穀コンベア１３を介してグレンタンク１２に搬送している。また、前記二番コンベア２３の他端部に、ベベルギアを介して還元コンベア６２を駆動し、該還元コンベア６２の他端の排出口は扱室のクリンプ網３１の前側部に臨ませて配置し、二番物を還元して、再度選別を行うようにしている。
【００１２】
　一方、前記エンジンＥの右側に突出する出力軸６０より、プーリーやベルトや連動軸やベベルギアを介して排出コンベア６３に動力を伝達し、更に、縦コンベア６４、排出オーガ６５を駆動できる構成として、グレンタンク１２内に貯留した籾を排出可能としている。
【００１３】
　そして、図３に示すように、前記脱穀装置Ｂ下方の選別室には、揺動本体５１と唐箕３５とプレファン４１等が配設され、脱穀された籾と籾藁とが比重選別と風選別により一番物と二番物と藁くず等に選別が行なわれている。
　前記揺動本体５１は鋼材を箱型に溶着して剛性を高めたものである。該揺動本体５１の前端部を扱胴２０の前端下方に配置し、揺動本体５１の後端を送塵口処理胴２１の後部下方まで延出している。前記揺動本体５１の前下部に枢支軸５２を設けて後部をクランク軸５３に枢支して、クランク軸５３の回動により揺動するように構成されている。
　そして、前記揺動本体５１は、前部には第一グレンパン５８が配され、その後下部を一段下げて第二グレンパン５９が配され、第二グレンパン５９の前部に選別風導入口５１ａを開口し、第二グレンパン５９の後部より後方を下方に膨出して膨出部５１ｂを成形し、該膨出部５１ｂ下面には落下口５１ｃが開口されている。
【００１４】
　前記吸引ファン３０は、図３に示すように、カバー４０３に被装され、揺動本体５１の後部上方位置に横設するフレーム４０２に支持され、藁屑を吸引した排風を後方に搬送し、ガイドプレート４０１に沿って排藁カッター装置１７を配設する排藁処理装置内に藁屑を搬送している。
【００１５】
　前記吸引ファン３０を構成するそれぞれの部品は、合成樹脂によって構成され軽量化をはかっている。
　本発明における、三分割に形成した樹脂製の吸引ファン３０について、図４を用いて説明する。該吸引ファン３０は、フィン部材４４７とフィン受体４４８より構成されている。前記フィン部材４４７は、ガイド筒４４７ａと支持板４４７ｂ、該支持板４４７ｂの外周部より突出するフィン４４７ｃ・４４７ｃ・・・より構成され、一体成形されている。
　前記ガイド筒４４７ａの基部側端部には嵌合部４４７ｄを形設し、該嵌合部４４７ｄの外周面上に円板状の支持板４４７ｂを形設している。該支持板４４７ｂの外周面上には凹状に差し込み部４４７ｅ・４４７ｅ・・・を形設し、該差し込み部４４７ｅ・４４７ｅ・・・の閉塞側側面よりガイド筒４４７ａと平行状にフィン４４７ｃ・４４７ｃ・・・を突出して一体成形としている。
【００１６】
　また、前記フィン受体４４８は、ボス部４４８ａ、支持板４４８ｂ、支持板４４８ｂの外周面より前方に突出する差し込み部４４８ｃ・４４８ｃ・・・を一体成形している。
　前記ボス部４４８ａの一端には、ガイド筒４４７ａの端部を嵌合する嵌合部４４８ｄを形設し、ボス部４４８ａの他端にはボス部の外径より径を大きくした筒状部４４８ｅを形設し、該筒状部４４８ｅの端部に円板状の支持板４４８ｂが形設されている。該支持板４４８ｂの外周部側面にボス部４４８ａの配設方向と同方向に差し込み部４４８ｃ・４４８ｃ・・・が突出されている。
　前記ボス部４４８ａには多角形状のファン軸４３７が嵌合する孔が開口されている。
【００１７】
更に、前記フィン受体４４８の外側側面には、剛性を保つ為の放射状リブ４４８ｆ・４４８ｆ・・・と環状リブ４４８ｇ・４４８ｈ・４４８ｉが形成されている。即ち、図４、図５に示すように、前記フィン受体４４８の円板状の支持板４４８ｂの中心側には、ボス部４４８ａの外径に合わせた円環状の環状リブ４４８ｇが成形されている。
　前記支持板４４８ｂの、差し込み部４４８ｃ・４４８ｃ・・・の形成位置より中心側に、円環状の環状リブ４４８ｈが成形され、支持板４４８ｂの外径位置に円環状の環状リブ４４８ｉが成形されている。
　また、円板状の支持板４４８ｂの駆動軸を中心とする放射状の放射状リブ４４８ｆ・４４８ｆ・・・が成形され、環状リブ４４８ｇの外周面より半径方向に外周側に延出するされ、環状リブ４４８ｉの内周面まで延出されており、フィン受体４４８の外側側面が補強されている。
【００１８】
　また、前記フィン受体４４８の支持板４４８ｂの内側側面には、図４、図６に示す、差し込み部４４８ｃ・４４８ｃ・・と、・中心側を連結する円環状の環状リブ４４８ｊと、差し込み部４４８ｃ・４４８ｃ・・・の外周側を連結する円環状の環状リブ４４８ｋが成形されており、後述するようにフィン４４７ｃ・４４７ｃ・・・を連結する差し込み部４４８ｃ・４４８ｃ・・・の剛性が保たれている。
【００１９】
　更に、前記フィン受体４４８の支持板４４８ｂの内側側面には、図４に示すように側面視台形の補強リブ４４８Ｌ・４４８Ｌ・・・が半径方向に形成され、支持板４４８ｂと筒状部４４８ｅとが補強リブ４４８Ｌを介して固設され、支持板４４８ｂの内側側面の剛性が保たれている。
【００２０】
　そして、フィン部材４４７を左右に配設し、右側のフィン部材４４７より左側に突出するフィン４４７ｃ・４４７ｃ・・・とガイド筒４４７ａの端部を左のフィン部材４４７の差し込み部４４７ｅ・４４７ｅ・・・と嵌合部４４７ｄに嵌合することで、左右にフィン部材４４７・４４７を連結し、更に左側のフィン部材４４７より左側に突出するフィン４４７ｃ・４４７ｃ・・・とガイド筒４４７ａの端部をフィン受体４４８の差し込み部４４８ｃ・４４８ｃ・・・と嵌合部４４８ｄに嵌合することで３分割に構成したファン３０”を組み立てることができる。
　尚、前記ファン軸４３７をガイド筒４４７ａとボス部４４８ａ内に挿入し、フィン受体４４８の筒状部４４８ｅを用いてファン軸４３７の支持部材を嵌合して、枢支部に藁屑等の侵入を防いでいる。
【００２１】
　また、前記吸引ファン３０のフィン４４７ｃ・４４７ｃ・・・の支持部材である、前記フィン受体４４８を補強用のリブを形成する替わりに、補強プレート４５０を配設する構成にすることもできる。
　該補強プレート４５０は、図７に示すように、円環状に形成され、側面に複数個の略三日月状のフィン孔４５０ａ・４５０ａ・・・が開口されて、側板と側板の間に配置するようにしている。本実施例では図８に示すように、フィン部材４４７より突出されるフィン４４７ｃ・４４７ｃ・・・を補強プレート４５０のフィン孔４５０ａ・４５０ａ・・・内に嵌合して、フィン４４７ｃ・４４７ｃ・・・の途中部に位置させて嵌合固定し、フィン４４７ｃ・４４７ｃ・・・を補強し、フィン４４７ｃ・４４７ｃ・・・にフィン受体４４８を嵌合させている。
【００２２】
　また、吸引ファン３０’の別実施例として、フィンを分割構成にせずに、一体構成にすることもできる。
　図９、図１０に示すように、左右方向に長いフィン５１・５１・・・を成形し、該フィン５１の左右一側を中心側から外方向に嵌合突起５１ａを成形し、フィン５１の他側を中心側にアーム５１ｂを突出し、アーム５１ｂ中心側端部から外側に嵌合突起５１ｃを突起している。該嵌合突起５１ｃとアーム５１ｂとを嵌合するボス部４５２をフィン５１・５１・・・側部に配し、嵌合突起５１ａを嵌合するボス部４５３をフィン５１・５１・・・の逆側に配し、フィン５１・５１・・・を固定している。該ボス部４５２・４５３内にファン軸４３７を挿入して、一体型の吸引ファン３０’を構成している。
【００２３】
　尚、前記フィン５１の半径方向の長さを長くすることによって、外径の大きい吸引ファンが構成され、風量を調整することができる。更に、長さの長いフィン５１の左右方向途中部に前述した補強プレート４５０を嵌入させて吸引ファンの剛性を高く維持することもできる。
【図面の簡単な説明】
【００２４】
【図１】コンバイン全体側面図である。
【図２】脱穀・選別装置への駆動伝達を示すスケルトン図である。
【図３】脱穀・選別装置の側面断面図である。
【図４】本発明の吸引ファンのフィン受体の正面断面図である。
【図５】同じくフィン受体の側面図である。
【図６】フィン受体の側面図である。
【図７】補強プレートを示す側面図である。
【図８】補強プレートを配設した吸引ファンの正面断面図である。
【図９】吸引ファンの別形態を示す正面断面図である。
【図１０】吸引ファンの別形態の側面図である。
【符号の説明】
【００２５】
　３０　吸引ファン
　４３７　ファン軸
　４４７ｃ　フィン
　４４８　フィン受体
　４４８ｃ　差し込み部
　４４８ｆ　放射状リブ
　４４８ｇ　環状リブ
　４４８ｈ　環状リブ
　４４８ｉ　環状リブ
　４４８ｊ　環状リブ
　４４８ｋ　環状リブ
　４４８Ｌ　補強リブ
　４５０　補強プレート
【図１】
2004003509.tif 000003
【図２】
2004003509.tif 000004
【図３】
2004003509.tif 000005
【図４】
2004003509.tif 000006
【図５】
2004003509.tif 000007
【図６】
2004003509.tif 000008
【図７】
2004003509.tif 000009
【図８】
2004003509.tif 000010
【図９】
2004003509.tif 000011
【図１０】
2004003509.tif 000012